(57)【要約】【課題】本開示は、無駄な廃棄を極力少なくして蛍光体ホイールの長寿命化を図ることが出来る蛍光体ホイール、投写型映像表示装置を提供する。【解決手段】励起光源により励起される蛍光体が設けられた基板７０４と、前記基板７０４を回転駆動するモータ７０２とを備えた第１蛍光体ホイール７０において、前記蛍光体は、複数個の蛍光体ユニット７１２，７１４，７１６から構成され、前記蛍光体ユニット７１２，７１４，７１６は、前記基板７０４の同一円周上に夫々単独で交換可能に装着されている。【選択図】図３
2015118139.tif 000002
【特許請求の範囲】
【請求項１】
励起光源により励起される蛍光体が設けられた基板と、
前記基板を回転駆動するモータとを備えた蛍光体ホイールにおいて、
前記蛍光体は、複数個の蛍光体ユニットから構成され、前記蛍光体ユニットは、前記基板の同一円周上に夫々単独で交換可能に装着されていることを特徴とする蛍光体ホイール。
【請求項２】
少なくとも１つの前記蛍光体ユニットは、他の前記蛍光体ユニットと蛍光の発光特性が異なることを特徴とする請求項１に記載の蛍光体ホイール。
【請求項３】
前記蛍光体ユニットは、径方向に分割された複数個の分割蛍光体ユニットから構成され、任意の１つの前記蛍光体ユニットを構成する前記分割蛍光体ユニットの内の、少なくとも１つの前記分割蛍光体ユニットは、他の前記分割蛍光体ユニットと蛍光の発光特性が異なることを特徴とする請求項１または請求項２に記載の蛍光体ホイール。
【請求項４】
前記蛍光体ユニットの幅は、前記励起光源から照射される励起光の幅と略同一に形成されていることを特徴とする請求項１乃至請求項３の何れか１項に記載の蛍光体ホイール。
【請求項５】
前記蛍光体ホイールは、熱伝導率の高い熱伝導部を備え、
前記熱伝導部は、前記蛍光体ユニットと接するように設けられていることを特徴とする請求項１乃至請求項４の何れか１項に記載の蛍光体ホイール。
【請求項６】
所定波長帯域光を出射する励起光源と、
前記励起光源により励起される蛍光体が設けられた蛍光体ホイールとを備えた照明装置において、
前記蛍光体ホイールは、請求項１乃至請求項５の何れか１項に記載の蛍光体ホイールであることを特徴する照明装置。
【請求項７】
照明装置と、
入力信号に基づいて映像を生成する映像生成部と、
前記照明装置からの光を前記映像生成部に導光する導光手段と、
前記映像生成部によって生成された映像を投写する投写レンズとを備えた投写型映像表示装置において、
前記照明装置は、請求項６記載の照明装置であることを特徴とする投写型映像表示装置。
【発明の詳細な説明】
【技術分野】
【０００１】
本開示は、蛍光体ホイール、蛍光体ホイールを備えた照明装置、映像を投写するプロジェクタ等の投写型映像表示装置に関する。
【背景技術】
【０００２】
従来、プロジェクタにおいて、高輝度の高圧水銀ランプが光源として多く使用されてきた。高圧水銀ランプは、光源の寿命が短くメンテナンスが煩雑になる等の問題があり、高圧水銀ランプの代わりに発光ダイオード（ＬＥＤ）やレーザなどの固体光源を映像表示装置の光源として用いることが提案されている。
【０００３】
レーザ光源は、高圧水銀ランプに比べて寿命が長く、また、指向性が高いため光利用効率も高い。さらに、その単色性により広い色再現範囲を実現できる。一方、レーザ光はその干渉性の高さゆえに、スペックルノイズが生じて画質が劣化するという問題がある。
【０００４】
この問題を解決するために、レーザを励起光として蛍光体を発光させた光を光源とした投写型映像表示装置が知られている。（特許文献１）
また、カラーホイールの補色フィルタをカラーホールに対して着脱自在に構成したプロジェクタが知られている。（特許文献２）
【先行技術文献】
【特許文献】
【０００５】
【特許文献１】特開２０１１−０１３３１３号公報
【特許文献２】特開２０１２−０４８１３０号公報
【発明の概要】
【発明が解決しようとする課題】
【０００６】
しかしながら、上記特許文献１に開示されている投写型映像表示影装置は、蛍光体ホイールに塗布した蛍光体の一部にレーザ光が集中して照射されることにより、蛍光体が劣化してしまい蛍光体ホイールとしての寿命が短くなってしまう問題が生じる。
【０００７】
この問題を解決するために、上記特許文献２の補色フィルタのように蛍光体ホイールに対して蛍光体を着脱自在に構成することが考えられる。
【０００８】
しかしながら、上記特許文献２の補色フィルタは、扇型形状の補色フィルタ全体を着脱自在に構成しているため、補色フィルタの一部の劣化により補色フィルタ全体を交換してしまうことになってしまい、劣化していない部分の補色フィルタを無駄に廃棄してしまうことになる。
【０００９】
本開示は、無駄な廃棄を極力少なくして蛍光体ホイールの長寿命化を図ることが出来る蛍光体ホイール、蛍光体ホイールを備えた光源装置、及びこれらを備えた投写型映像表示装置を提供することを課題とする。
【課題を解決するための手段】
【００１０】
本開示における蛍光体ホイールは、励起光源により励起される蛍光体が設けられた基板と、前記基板を回転駆動するモータとを備えた蛍光体ホイールにおいて、前記蛍光体は、複数個の蛍光体ユニットから構成され、前記蛍光体ユニットは、前記基板の同一円周上に夫々単独で交換可能に装着されていることを特徴とする。
【発明の効果】
【００１１】
本開示における蛍光体ホイールは、無駄な廃棄を極力少なくして蛍光体ホイールの長寿命化を図ることが出来る。
【図面の簡単な説明】
【００１２】
【図１】第１実施の形態におけるプロジェクタの外観斜視図
【図２】第１実施の形態におけるプロジェクタの構成を示す模式図
【図３】第１実施の形態における蛍光体ホイールの分解斜視図
【図４】第１実施の形態における蛍光体ホイールの詳細図
【図５】第１実施の形態におけるカラーフィルターホイールの詳細図
【図６】第２実施の形態における蛍光体ホイールの詳細図
【図７】第３実施の形態における蛍光体ホイールの詳細断面図
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。
【００１４】
なお、出願人は、当業者が本開示を十分に理解するために添付図面および以下の説明を提供するのであって、これらによって特許請求の範囲に記載の主題を限定することを意図するものではない。
【００１５】
（第１実施の形態）
本実施形態は、映像信号に応じて、光を変調する１つの光変調素子（例えば、ＤＭＤ９６）を有する投写型映像表示装置（例えば、プロジェクタ１００）であって、レーザ光源（例えば、半導体レーザ２２）と、前記レーザ光によって励起され、蛍光を出射する第１蛍光体ホイール７０と、前記蛍光の一部の波長領域を除去するカラーフィルターホイール８０と、を含む照明装置１０を有するものである。
【００１６】
図２は、プロジェクタ１００の構成図である。
【００１７】
図２において、プロジェクタ１００は、光源部２０、第１蛍光体ホイール７０、カラーフィルターホイール８０を含む照明装置１０と、映像生成部９０と、映像生成部９０によって生成された映像光を、図１に示すスクリーン１５０へ投写する投写レンズ９８とを有する。
【００１８】
光源部２０は、複数の青色の半導体レーザ２２と、半導体レーザ２２のそれぞれに設けられたレンズ２４を有する。本実施形態では、波長約４５０ｎｍの青色のレーザ光を出力する半導体レーザ２２を使用し、２５個の半導体レーザ２２を５×５のマトリクス状に配置した。レンズ２４は、半導体レーザ２２から広がり角をもって出射した光を平行な光束に集光する機能を有している。
【００１９】
光源部２０より出射された光は、レンズ３０によって集光されながら、重畳される。レンズ３０によって集光された光は、ダイクロイックミラー５２に入射する前に、拡散板５０とレンズ３２を透過する。拡散板５０は、半導体レーザ２２からの光の干渉性を低減させる機能を有し、レンズ３２は、レンズ３０によって集光された光を、再び平行な光束に戻す機能を有している。
【００２０】
ダイクロイックミラー５２は、カットオフ波長を約４９０ｎｍに設定した色合成素子である。従って、レンズ３２によって平行光化された光は、ダイクロイックミラー５２によって反射され、第１蛍光体ホイール７０へ照射される。
【００２１】
第１蛍光体ホイール７０への集光スポットサイズを小さくして光利用効率を向上させるため、第１蛍光体ホイール７０に照射される光は、レンズ３４、３６によって集光される。
【００２２】
図３は、第１蛍光体ホイール７０の分解斜視図であり、図４は、第１蛍光体ホイール７０の詳細図である。
【００２３】
第１蛍光体ホイール７０は、波長約４５０ｎｍの光によって主波長が５７０ｎｍの黄色の光を発光する第１蛍光体ユニット７１２及び第２蛍光体ユニット７１４と、波長約４５０ｎｍの光によって主波長が５５２ｎｍの緑色の光を発光する第３蛍光体ユニット７１６と、切欠き状になっている第１切欠き領域７１８とを有する。第１蛍光体ユニット７１２と第２蛍光体ユニット７１４には同一の黄色蛍光体が配置されている。
【００２４】
これらの第１蛍光体ユニット７１２、第２蛍光体ユニット７１４、第３蛍光体ユニット７１６が、アルミ二ウムからなる基板７０４に設けられた溝１５０に夫々配置され、シリコン系の高熱伝熱性接着剤にて固定されて蛍光体を構成している。基板７０４は蛍光体ホイールモータ７０２に取り付けられて回転制御される。
【００２５】
第１蛍光体ホイール７０は、第１蛍光体ユニット７１２、第２蛍光体ユニット７１４、第３蛍光体ユニット７１６と、第１切欠き領域７１８とで、１フレーム（例えば、１／６０秒）となるように構成される。
【００２６】
すなわち、第１蛍光体ホイール７０に照射された光は、１フレームの中で、第１蛍光体ユニット７１２に照射される第１セグメント、第２蛍光体ユニット７１４に照射される第２セグメント、第３蛍光体ユニット７１６に照射される第３セグメント、第１切欠き領域７１８に照射される第４セグメントに時間的に分割される。
【００２７】
図４において２０４は、第１蛍光体ユニット７１２に照射される励起光の状態を示している。第１蛍光体ユニット７１２に照射される励起光の幅よりも第１蛍光体ユニット７１２の幅を若干広くしている。第１蛍光体ユニット７１２、第２蛍光体ユニット７１４、第３蛍光体ユニット７１６の幅は同じである。
【００２８】
図２に戻り、第１蛍光体ユニット７１２、第２蛍光体ユニット７１４、および第３蛍光体ユニット７１６に照射された光は、黄色および緑色の蛍光に変換されて、第１蛍光体ホイール７０から反射される。これらの蛍光は、レンズ３６、３４によって平行光化されて、ダイクロイックミラー５２に戻り、ダイクロイックミラー５２を透過する。
【００２９】
一方、第４セグメントの間、第１蛍光体ホイール７０に照射された光は、第１蛍光体ホイール７０を透過する。第１蛍光体ホイール７０を透過した光を、再びダイクロイックミラー５２に戻すため、光路にミラー５４、５６、５８を配置する。また、第１蛍光体ホイール７０を透過した光は、レンズ３４、３６によって集光されているため、レンズ３８、４０によって平行光化すると共に、延長された光路分をリレーするためのレンズ４２を配置する。
【００３０】
第１蛍光体ホイール７０を透過し、光路をリレーされてダイクロイックミラー５２に戻った光は、ダイクロイックミラー５２によって反射される。このようにして、第１蛍光体ホイール７０を透過した光の光路と反射した光の光路とは、ダイクロイックミラー５２によって合成される。
【００３１】
ダイクロイックミラー５２によって合成された光は、レンズ４４によって集光され、カラーフィルターホイール８０を通過した後、ロッドインテグレータ６０に入射する。
【００３２】
図５は、カラーフィルターホイール８０の構成図である。
【００３３】
カラーフィルターホイール８０は、可視全域にわたって高透過であるガラス基板により構成される透過領域８１２と、波長６００ｎｍ以下で高反射かつ波長６００ｎｍ以上の可視域で高透過であるカラーフィルター基板により構成されるフィルタ領域８１４とを有する。これらの基板はカラーフィルターホイールモータ８０２に取り付けられ、回転制御される。
【００３４】
第１蛍光体ホイール７０とカラーフィルターホイール８０は、同じ回転数で同期して回転制御される。すなわち、カラーフィルターホイール８０は、透過領域８１２とフィルタ領域８１４とで、１フレーム（例えば、１／６０秒）となるように構成される。
【００３５】
さらに、第１蛍光体ホイール７０における第２蛍光体ユニット７１４にレーザ光が照射され、第２蛍光体ユニット７１４から反射した黄色蛍光は、カラーフィルターホイール８０におけるフィルタ領域８１４に入射されるようにタイミングが調整される。そのため、第２蛍光体ユニット７１４とフィルタ領域８１４のセグメント角度は同一である。フィルタ領域８１４は６００ｎｍ以下の光を除去するため、第２蛍光体ユニット７１４から放たれる黄色蛍光は、短波長成分が除去され、赤色光となってロッドインテグレータ６０に入射する。
【００３６】
また、第１蛍光体ホイール７０における第１蛍光体ユニット７１２にレーザ光が照射され、第１蛍光体ユニット７１２から反射した黄色蛍光は、カラーフィルターホイール８０における透過領域８１２に入射されるようにタイミングが調整される。透過領域８１２は可視全域にわたって高透過であるため、第１蛍光体ユニット７１２から反射された黄色蛍光は、波長成分が除去されることなくロッドインテグレータ６０に入射する。
【００３７】
また、第１蛍光体ホイール７０における第３蛍光体ユニット７１６にレーザ光が照射され、第３蛍光体ユニット７１６から反射した緑色蛍光は、カラーフィルターホイール８０における透過領域８１２に入射されるようにタイミングが調整される。透過領域８１２は可視全域にわたって高透過であるため、第３蛍光体ユニット７１６から反射された緑色蛍光は、波長成分が除去されることなくロッドインテグレータ６０に入射する。
【００３８】
また、第１蛍光体ホイール７０における第１切欠き領域７１８にレーザ光が照射され、第１切欠き領域７１８を透過した青色のレーザ光は、カラーフィルターホイール８０における透過領域８１２に入射されるようにタイミングが調整される。透過領域８１２は可視全域にわたって高透過であるため、第１切欠き領域７１８を透過した青色のレーザ光は、波長成分が除去されることなくロッドインテグレータ６０に入射する。
【００３９】
ロッドインテグレータ６０を出射した光は、レンズ４６、４８にリレーされ、照明装置１０からの出力光となって、映像生成部９０に入射する。以上のように、照明装置１０は、各種のレンズ、ミラーなどの光学部品を有する。
【００４０】
映像生成部９０は、レンズ９２と、全反射プリズム９４と、１枚のＤＭＤ９６を有する。レンズ９２は、ロッドインテグレータ６０の出射面の光をＤＭＤ９６に結像させる機能を有している。レンズ９２を介して全反射プリズム９４に入射した光は、面９４ａによって反射され、ＤＭＤ９６へ導かれる。ＤＭＤ９６は、図示しない制御部によって、それぞれに入射する各色光のタイミングに合わせ、かつ、入力される映像信号に応じて、制御される。ＤＭＤ９６によって変調された光は、全反射プリズム９４を透過して投写レンズ９８へ導かれる。投写レンズ９８は、時間的に合成された映像光をスクリーン１５０へ投写する。
【００４１】
本実施形態では、照明装置１０は、時間的に切り替わる黄色光、赤色光、緑色光、青色光の４色の光を出力する。赤色光は赤色蛍光体からではなく、黄色蛍光体からの黄色蛍光のうち短波長成分を除去することにより生成される。
【００４２】
（本実施形態の作用効果）
３つの蛍光体ユニットは夫々独立して第１蛍光体ホイール７０の基板７０４に装着されているため、劣化した蛍光体ユニットは接着剤を取り除くことにより、新しい蛍光体ユニット単独で交換することが出来る。
【００４３】
また、蛍光体ユニットの幅は、蛍光体ユニットに照射される励起光の幅と略同じであるため、交換して廃棄する蛍光体ユニットの容積を最小限にすることが出来る。
【００４４】
（第２実施の形態）
本願発明の第２実施の形態を図６に示す。第２実施の形態は、径方向に複数の分割蛍光体ユニットを分割配置した構成としている。
【００４５】
尚、第１実施の形態と同一部品については同一符号を付して説明を省略する。
【００４６】
第２実施の形態の第２蛍光体ホイール７０Ａは、第１実施の形態と同様に第１分割蛍光体ユニット７１２Ｘ、第２分割蛍光体ユニット７１４Ｘ、第３分割蛍光体ユニット７１６Ｘと、第２切欠き領域７１８Ｘとで、１フレーム（例えば、１／６０秒）となるように構成される。
【００４７】
すなわち、第２蛍光体ホイール７０Ａに照射された光は、１フレームの中で、第１分割蛍光体ユニット７１２Ｘに照射される第１セグメント、第２分割蛍光体ユニット７１４Ｘに照射される第２セグメント、第３分割蛍光体ユニット７１６Ｘに照射される第３セグメント、第２切欠き領域７１８Ｘに照射される第４セグメントに時間的に分割される。
【００４８】
各セグメントの蛍光体ユニットは複数個の分割蛍光体ユニットで構成され、径方向に３分割されて配置されている。各セグメントの径方向に３分割配置された３つの分割蛍光体ユニットの合計の幅は、第１実施形態の蛍光体ユニットの幅と略同じである。
【００４９】
第１分割蛍光体ユニット７１２Ｘには、径が大きい方向から順に第１分割蛍光体第１ユニット７１２Ａ、第１分割蛍光体第２ユニット７１２Ｂ、第１分割蛍光体第３ユニット７１２Ｃが径方向に分割されて配置されている。
【００５０】
第１分割蛍光体第１ユニット７１２Ａは、波長約４５０ｎｍの光によって主波長が５７５ｎｍの黄色の光を発光する分割蛍光体ユニットであり、第１分割蛍光体第２ユニット７１２Ｂは、波長約４５０ｎｍの光によって主波長が５７０ｎｍの黄色の光を発光する分割蛍光体ユニットであり、第１分割蛍光体第３ユニット７１２Ｃは、波長約４５０ｎｍの光によって主波長が５８０ｎｍの黄色の光を発光する分割蛍光体ユニットである。
【００５１】
第２分割蛍光体ユニット７１４Ｘには、径が大きい方向から順に第２分割蛍光体第１ユニット７１４Ａ、第２分割蛍光体第２ユニット７１４Ｂ、第２分割蛍光体第３ユニット７１４Ｃが径方向に分割されて配置されている。
【００５２】
第２分割蛍光体第１ユニット７１４Ａは、波長約４５０ｎｍの光によって主波長が７００ｎｍの赤色の光を発光する分割蛍光体ユニットであり、第２分割蛍光体第２ユニット７１４Ｂは、波長約４５０ｎｍの光によって主波長が５７０ｎｍの黄色の光を発光する分割蛍光体ユニットであり、第２分割蛍光体第３ユニット７１４Ｃは、波長約４５０ｎｍの光によって主波長が７０５ｎｍの赤色の光を発光する分割蛍光体ユニットである。
【００５３】
第３分割蛍光体ユニット７１６Ｘには、径が大きい方向から順に第３分割蛍光体第１ユニット７１６Ａ、第３分割蛍光体第２ユニット７１６Ｂ、第３分割蛍光体第３ユニット７１６Ｃが径方向に分割されて配置されている。
【００５４】
第３分割蛍光体第１ユニット７１６Ａは、波長約４５０ｎｍの光によって主波長が５７０ｎｍの黄色の光を発光する分割蛍光体ユニットであり、第３分割蛍光体第２ユニット７１６Ｂは、波長約４５０ｎｍの光によって主波長が５５２ｎｍの緑色の光を発光する分割蛍光体ユニットであり、第３分割蛍光体第３ユニット７１６Ｃは、波長約４５０ｎｍの光によって主波長が５７５ｎｍの黄色の光を発光する分割蛍光体ユニットである。
【００５５】
第２切欠き領域７１８Ｘには、径が大きい方向から順に分割蛍光体第１ユニット７１８Ａ、第２切欠き部７１８Ｂ、分割蛍光体第２ユニット７１８Ｃが径方向に分割されて配置されている。
【００５６】
分割蛍光体第１ユニット７１８Ａは、波長約４５０ｎｍの光によって主波長が５４２ｎｍの緑色の光を発光する分割蛍光体ユニットであり、分割蛍光体第２ユニット７１８Ｃは、波長約４５０ｎｍの光によって主波長が５４６ｎｍの緑色の光を発光する分割蛍光体ユニットである。
【００５７】
第１実施の形態と同様に、第２蛍光体ホイール７０Ａにおける第２分割蛍光体ユニット７１４Ｘにレーザ光が照射され、第２分割蛍光体ユニット７１４Ｘの第２分割蛍光体第２ユニット７１４Ｂから反射した黄色蛍光は、カラーフィルターホイール８０におけるフィルタ領域８１４に入射されるようにタイミングが調整される。そのため、第２分割蛍光体ユニット７１４Ｘとフィルタ領域８１４のセグメント角度は同一である。フィルタ領域８１４は６００ｎｍ以下の光を除去するため、第２分割蛍光体ユニット７１４Ｘの第２分割蛍光体第２ユニット７１４Ｂから放たれる黄色蛍光は、短波長成分が除去され、赤色光となってロッドインテグレータ６０に入射する。
【００５８】
第２蛍光体ホイール７０Ａにおける第２分割蛍光体ユニット７１４Ｘは、径方向に異なる特性の分割蛍光体ユニットが分割配置されているが、中央に配置されている第２分割蛍光体第２ユニット７１４Ｂに照射される光の強度が最も強くなるため、第２分割蛍光体第２ユニット７１４Ｂによって反射される光の割合が多くなる。そのため、第２分割蛍光体ユニット７１４Ｘから発光する光は、第２分割蛍光体第２ユニット７１４Ｂから放たれる黄色蛍光から短波長成分が除去されて赤色光となった主たる光と、第２分割蛍光体第１ユニット７１４Ａと第２分割蛍光体第３ユニット７１４Ｃから発光する従たる赤色光とのそれぞれ異なる３種類の波長帯域の赤色光を混合させることにより赤色の色度を向上させている。
【００５９】
第１実施の形態と同様に、第２蛍光体ホイール７０Ａにおける第１分割蛍光体ユニット７１２Ｘにレーザ光が照射され、第１分割蛍光体ユニット７１２Ｘの第１分割蛍光体第１ユニット７１２Ａ，第１分割蛍光体第２ユニット７１２Ｂ及び第１分割蛍光体第３ユニット７１２Ｃから反射した黄色蛍光は、カラーフィルターホイール８０における透過領域８１２に入射する。透過領域８１２は可視全域にわたって高透過であるため、第１分割蛍光体ユニット７１２Ｘから反射される黄色蛍光は、波長成分が除去されることなく透過領域８１２を透過してロッドインテグレータ６０に入射する。
【００６０】
第１分割蛍光体ユニット７１２Ｘからロッドインテグレータ６０に入射する黄色光は、それぞれ異なる３種類の波長帯域の黄色光を混合させることにより黄色の色度を向上させている。
【００６１】
第１実施の形態と同様に、第２蛍光体ホイール７０Ａにおける第３分割蛍光体ユニット７１６Ｘにレーザ光が照射され、第３分割蛍光体ユニット７１６Ｘの第３分割蛍光体第１ユニット７１６Ａから反射した黄色蛍光，第３分割蛍光体第２ユニット７１６Ｂから反射した緑色蛍光及び第３分割蛍光体第３ユニット７１６Ｃから反射した黄色蛍光は、カラーフィルターホイール８０における透過領域８１２に入射する。透過領域８１２は可視全域にわたって高透過であるため、第３分割蛍光体ユニット７１６Ｘから反射される各色蛍光は、波長成分が除去されることなく透過領域８１２を透過してロッドインテグレータ６０に入射する。
【００６２】
第３分割蛍光体ユニット７１６Ｘからロッドインテグレータ６０に入射する色光は、中央に配置されている第３分割蛍光体第２ユニット７１６Ｂによって反射される光の割合が多くなるため緑色光となるが、第３分割蛍光体第１ユニット７１６Ａと第３分割蛍光体第３ユニット７１６Ｃからのそれぞれ異なる２種類の波長帯域の黄色光を混合させることにより緑色の色度を向上させている。
【００６３】
第１実施の形態と同様に、第２蛍光体ホイール７０Ａにおける第２切欠き領域７１８Ｘにレーザ光が照射されると、中央の第２切欠き部７１８Ｂを透過した青色のレーザ光と、第２切欠き領域蛍光体第１ユニット７１８Ａから反射した緑色蛍光及び第２切欠き領域蛍光体第２ユニット７１８Ｃから反射した緑色蛍光は、合成されてロッドインテグレータ６０に入射する。
【００６４】
第２切欠き領域７１８Ｘからロッドインテグレータ６０に入射する色光は、中央の第２切欠き部７１８Ｂを透過する青色光の割合が多くなるため青色となるが、第２切欠き領域蛍光体第１ユニット７１８Ａと第２切欠き領域蛍光体第２ユニット７１８Ｃから反射したそれぞれ異なる２種類の波長帯域の緑色光を混合させることにより青色の色度を向上させている。
【００６５】
（本実施形態の作用効果）
蛍光体ホイールに径方向に異なる特性を有する蛍光体を分割配置することにより、中央位置の主たる蛍光色に中央に隣接する蛍光体からの従たる蛍光色を混合させることができるため、蛍光の色度を向上させることができる。
【００６６】
（第３実施の形態）
図７に示す第３実施の形態は、第１実施の形態及び第２実施の形態の蛍光体ホイールの放熱効率を向上させる構成について展開したものである。蛍光体の変換効率や寿命は温度に依存し、温度が低いほうが効率も寿命も良い。蛍光体の放熱効率を上げることで温度が低減し、これにより、プロジェクタ１００は、更なる高輝度化や高色再現、長寿命化を達成することができる。
【００６７】
蛍光体ホイールの構成について説明する。
【００６８】
蛍光体面側から見た際は、第１実施の形態及び第２実施の形態と同様にホイール上に蛍光体８００が設けられているが、断面方向から見た際の構成が異なる。
【００６９】
図７（Ａ）の場合、第３蛍光体ホイール７０Ｂには、銅箔等の熱伝導率の高い材料９００が、レーザ光が照射される表面に薄く設けられている。熱伝導率の高い材料９００の外形は、第３蛍光体ホイール７０Ｂと同等サイズであり、基板７０４に固定される。蛍光体８００は熱伝導率の高い材料９００上に配置されシリコン系の高熱伝熱性接着剤により接着されている。蛍光体８００の熱は、熱伝導率の高い材料９００の表面からの放熱により効率よく冷却される。
【００７０】
図７（Ｂ）の場合、基板７０４には銅箔等の熱伝導率の高い材料９００がリング状に設けられている。熱伝導率の高い材料９００の厚みは、蛍光体８００の厚みと略同じである。蛍光体８００は熱伝導率の高い材料９００上に配置されシリコン系の高熱伝熱性接着剤により接着されている。蛍光体８００の熱は、熱伝導率の高い材料９００の表面からの放熱により効率よく冷却される。
【００７１】
図７（Ｃ）の場合、第３蛍光体ホイール７０Ｂ全体が銅箔等の熱伝導率の高い材料９００により構成されている。蛍光体８００は熱伝導率の高い材料９００に形成された溝１５０に配置されシリコン系の高熱伝熱性接着剤により接着されている。蛍光体８００の熱は、第３蛍光体ホイール７０Ｂ全体から効率よく放熱される。
【００７２】
（その他の実施の形態）
第１実施の形態において、蛍光体ユニットの数は３個に限定されるものではない。例えば６個の蛍光体ユニットをユーザーに供給し、ユーザーは任意の３個の蛍光体ユニットを選択して使用するような構成にしても良い。
【００７３】
また、蛍光体を３個の蛍光体ユニットにより構成、或いは、３個の分割蛍光体ユニットにより蛍光体を構成するものには限定されない。例えば、蛍光体ユニットと分割蛍光体ユニットとを組み合わせて蛍光体を構成しても良い。
【００７４】
また、第２実施の形態において、分割蛍光体ユニットは径方向において発光特性が夫々異なる３個の分割蛍光体ユニットを配置したが、これに限定されるものではなく、例えば、３個のうち２個の分割蛍光体ユニットは同じ発光特性を有する分割蛍光体ユニットを配置する構成にしてもよい。
【００７５】
以上のように、添付図面および詳細な説明によって、ベストモードと考える実施の形態と他の実施の形態とを提供した。これらは、特定の実施の形態を参照することにより、当業者に対して、特許請求の範囲に記載の主題を例証するために提供されるものである。したがって、特許請求の範囲またはその均等の範囲において、上述の実施の形態に対して、種々の変更、置き換え、付加、省略などを行うことができる。
【産業上の利用可能性】
【００７６】
本開示は、プロジェクタ等の投写型映像表示装置に適用できる。
【符号の説明】
【００７７】
２２  半導体レーザ
７０  第１蛍光体ホイール
７０Ａ  第２蛍光体ホイール
７０２  蛍光体ホイールモータ
７０４  基板
１００  プロジェクタ
７１２  第１蛍光体ユニット
７１４  第２蛍光体ユニット
７１６  第３蛍光体ユニット
７１８  第１切欠き領域
７１２Ｘ  第１分割蛍光体ユニット
７１４Ｘ  第２分割蛍光体ユニット
７１６Ｘ  第３分割蛍光体ユニット
７１８Ｘ  第２切欠き領域
８０２  カラーフィルターホイールモータ
【図１】
2015118139.tif 000003
【図２】
2015118139.tif 000004
【図３】
2015118139.tif 000005
【図４】
2015118139.tif 000006
【図５】
2015118139.tif 000007
【図６】
2015118139.tif 000008
【図７】
2015118139.tif 000009